【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
ある構造物に関連して実装するためのワークプラットフォームシステムであって、前記ワークプラットフォームは、
第１の可撓性要素及び第２の可撓性要素であって、各々の前記可撓性要素の、それぞれの第１端部が、第１支持部に少なくとも間接的に接続され、各前記可撓性要素の第２端部が、第２支持部に少なくとも間接的に接続されている、第１の可撓性要素及び第２の可撓性要素と、
前記可撓性要素上に支持され、前記第１の可撓性要素と前記第２の可撓性要素との間に実質的に延びる複数のパネル構造物であって、前記可撓性要素に沿って延びるパネル構造物の列を形成するように、相互に連続して配置されている複数のパネル構造物とを備え、
前記複数のパネル構造物の各々が、第１対の対向する縁部及び第２対の対向する縁部を含み、前記第１対の対向する縁部の各々が、前記可撓性要素と実質的に平行に各々延び、前記第２対の対向する縁部の各々が、前記第１対の対向する縁部同士の各々の間に各々延び、
前記複数のパネル構造物のうち第１のパネル構造物が、前記第１のパネル構造物の前記第１対の対向する縁部と平行又はほぼ平行な方向へ、前記第１のパネル構造物の前記第２対の対向する縁部のそれぞれのうち第１のものから離れるように外方に延びる第１支持延長部を含み、
第１のパネル構造物の第１支持延長部が、第１構成を有し、この第１構成内に、複数のパネル構造物のうち第２のパネル構造物の、前記第２対の対向する縁部のそれぞれのうち、第２のものが配置され、この第１構成が、第１のパネル構造物に対する第２のパネル構造物の動きを少なくとも部分的に制限するのに役立ち、
前記第２のパネル構造物が、前記第２のパネル構造物の、前記第２対の対向する縁部のそれぞれのうち、前記第２のものから離れるように外方に延びる第２支持延長部を含み、
前記第２支持延長部が、第２構成を有し、前記第２構成内に、前記第１のパネル構造物の、前記第２対の対向する縁部のそれぞれのうち、前記第１のものが配置され、前記第２構成が、前記第１のパネル構造物に対する前記第２のパネル構造物の動きを少なくとも部分的に制限するのに役立つ、
ワークプラットフォームシステム。
【請求項２】
前記第１のパネル構造物が、前記第１のパネル構造物の、前記第２対の対向する縁部のそれぞれのうち、前記第１のものから離れるように外方に、前記第１のパネル構造物の前記第１対の対向する縁部と平行又はほぼ平行な方向に延びる第１支持延長部を含み、前記第１支持延長部が、第３支持延長部が配置されている第２位置よりも、前記第１のパネル構造物の、前記第１対の対向する縁部のそれぞれのうち、前記第１のものに近い第１位置にあり、前記第２のパネル構造物が、さらに、前記第２のパネル構造物の、前記第２対の対向する縁部のそれぞれのうち、前記第２のものから離れるように外方に、前記第２のパネル構造物の前記第１対の対向する縁部と平行又はほぼ平行な方向に延びる第４支持延長部を含み、前記第２支持延長部が、前記第４支持延長部が配置されている第４位置よりも、前記第２のパネル構造物の、前記第１対の対向する縁部のそれぞれのうち、前記第２のものに近い第３位置にあり、前記第１支持延長部、前記第２支持延長部は、前記第３支持延長部、前記第４支持延長部の各々が、ハンドル構造物として機能するように構成されている、請求項１に記載のワークプラットフォームシステム。
【請求項３】
前記パネル構造物の各々が、前記第１対の対向する縁部の各々から外方に延びる少なくとも２つの支持延長部を含み、前記パネル構造物が前記可撓性要素上に支持されたときに、前記支持延長部の各々が、それぞれ前記第１の可撓性要素又は前記第２の可撓性要素を受けるように構成された少なくとも１つの凹部を含む、請求項１に記載のワークプラットフォームシステム。
【請求項４】
前記第１対の対向する縁部の、前記少なくとも２つの支持延長部のうち、少なくとも１つに旋回可能に接続されたラッチをさらに備える請求項３に記載のワークプラットフォームシステム。
【請求項５】
前記ラッチが、グラビティラッチである、請求項４に記載のワークプラットフォームシステム。
【請求項６】
前記第１の可撓性要素及び前記第２の可撓性要素の各々が、一対の可撓性の要素を含む、請求項１に記載のワークプラットフォームシステム。
【請求項７】
第３対の可撓性要素であって、前記第３対の可撓性要素のそれぞれの前記第１端部も、前記第１支持部に少なくとも間接的に接続され、前記第３対の可撓性要素のそれぞれの前記第２端部が前記第２支持部に少なくとも間接的に接続されている、第３対の可撓性要素と、前記第２対の可撓性要素及び前記第３対の可撓性要素上に支持された、追加の複数のパネル構造物とをさらに備え、前記追加の複数のパネル構造物のパネル構造物が、前記第２対の可撓性要素及び前記第３対の可撓性要素に沿って延びるパネル構造物の追加の列を形成するように、相互に連続して配置されている、請求項６に記載のワークプラットフォームシステム。
【請求項８】
前記第２対の可撓性要素の一部分上を覆うように、初めの前記複数のパネル構造物のうち少なくとも１つのパネル構造物と、前記追加の複数のパネル構造物のうちの少なくとも１つのパネル構造物との間に位置する少なくとも１つのカバー部アセンブリをさらに備え、前記カバー部アセンブリは、カバー構造物と、前記カバー構造物と係合するように構成されたクリップとを備え、前記クリップは、２つの可撓性要素係合部を備え、前記可撓性要素係合部は、前記第２対の可撓性要素の少なくとも一部分を受容するように構成された前記可撓性要素係合部の各々の内に開口を互いに形成する２つの脚部を備える請求項７に記載のワークプラットフォームシステム。
【請求項９】
吊り下げ部品と、前記吊り下げ部品が取り付けられている吊り下げ構造物とをさらに備え、前記第１の可撓性要素又は前記第２の可撓性要素がそれぞれ前記吊り下げ部品に支持されるように、前記吊り下げ構造物がそれぞれの前記可撓性要素に接続されている、請求項１に記載のワークプラットフォームシステム。
【請求項１０】
ある構造物に対してワークプラットフォームシステムを実装する方法であって、前記方法は、
第１対の可撓性要素及び第２対の可撓性要素を、第１支持部及び第２支持部にそれぞれ少なくとも間接的に取り付けることと、
前記第１対の可撓性要素及び前記第２対の可撓性要素上に第１のパネル部を設置することと、
前記第１対の可撓性要素及び前記第２対の可撓性要素上に第２のパネル部を設置することであって、前記第２のパネル部の第２の側縁から外方に延びる少なくとも１つの支持部品に前記第１のパネル部の第１の側縁が配置されるように、前記第１のパネル部の第１の側縁から外方に延びる少なくとも１つの支持部品に前記第２のパネル部の第２の側縁を配置すること、及び前記第１対の可撓性要素及び前記第２対の可撓性要素上に前記第２のパネルが支持されるまで前記第２パネル部を回転させることを含む、前記第２のパネル部を設置することと、
少なくとも１つの前記支持部品を、前記第１対の可撓性要素及び前記第２対の可撓性要素に対して設置すべきか否かを判定し、設置すべきと判定した場合には、前記少なくとも１つの構造物を前記第１対の可撓性要素及び前記第２対の可撓性要素の少なくとも１つ上に設置し、前記支持部品を少なくとも１つの前記吊り下げ構造物に接続することとを含む方法。
【請求項１１】
第３対の可撓性要素を、前記第１支持部及び前記第２支持部にそれぞれ少なくとも間接的に取り付けることと、
前記第２対の可撓性要素及び前記第３対の可撓性要素上に第３のパネル部を設置することとをさらに含み、前記第３のパネル部が、前記第１のパネル部及び前記第２のパネル部のうち、隣接した一方である、請求項１０に記載の方法。
【請求項１２】
カバー部アセンブリを、前記第３のパネルと、前記第１のパネル及び前記第２のパネルのうち、対応する隣接する一方との間に設置するステップをさらに含み、前記カバー部アセンブリを設置するステップは、クリップの把持部がクリップスロットと平行となるように、カバー構造の下側からカバー構造のクリップスロット内にクリップを挿入することと、クリップの把持部がクリップスロットと直角となるように、クリップスロット内でクリップを回転させることと、第１のパネル及び第２のパネルのうち隣接する１つ及び前記第３のパネル部の少なくとも一部とカバー 構造が重なるように第２対の可撓性要素の上にクリップでカバー構造を配置することと、下方向にカバー構造を押して、クリップを第２対の可撓性要素と係合させることと、を備える、請求項１１に記載の方法。
【請求項１３】
前記第２対の可撓性要素及び前記第３対の可撓性要素上に第４のパネル部を設置することをさらに含み、前記第４のパネル部が、前記第３のパネル部及び前記第１のパネル部及び前記第２のパネル部のうち、他方と隣接している、請求項１２に記載の方法。
【請求項１４】
第２のカバー部アセンブリを、前記第４のパネルと、前記第１のパネル及び前記第２のパネルのうち、対応する隣接する一方との間に設置することをさらに含み、前記第２のカバー部アセンブリを設置するステップは、クリップの把持部がクリップスロットと平行となるように、第２のカバー構造の下側から第２のカバー構造のクリップスロット内にクリップを挿入することと、前記クリップの把持部が前記クリップスロットと直角となるように、前記クリップスロット内で前記クリップを回転させることと、前記第２のカバー構造の第１端部を前記第１のカバー構造アセンブリに固定することと、前記クリップが前記第２対の可撓性要素と係合するまで下向きに前記第２のカバー構造を旋回させることと、を備える、請求項１３に記載の方法。
【請求項１５】
前記複数のパネル構造物の各々が、一対の前記可撓性要素と実質的に平行に各々延びる前記第１対の対向する縁部と、前記第１対の対向する縁部同士の間に各々延びる前記第２対の対向する縁部とを含み、
前記複数のパネル構造物の各々が、前記第２対の対向する縁部のうち、第１のものから離れるように外方に延びる第１支持延長部と、前記第２対の対向する縁部のうち、第２のものから離れるように外方に延びる第２支持延長部とを含み、前記第１支持延長部及び前記第２支持延長部の各々が、ハンドルとして機能するように構成されており、
前記複数のパネル構造物の各々が、前記第１対の対向する縁部のうち、第１のものから離れるように外方に延びる第３支持延長部と、前記第１対の対向する縁部のうち、第２のものから離れるように外方に延びる第４支持延長部とをさらに含み、
前記パネル構造物が、前記可撓性要素上に支持されたとき、前記第３支持延長部及び前記第４支持延長部の各々が、前記それぞれの対の可撓性要素の少なくとも１つの可撓性要素を受けるように構成された凹部をそれぞれ少なくとも１つ含み、かつ、前記パネル構造物が、前記可撓性要素上に支持されたとき、少なくとも間接的に、前記パネル構造物を前記可撓性要素に固定するように構成されている前記第３支持延長部及び前記第４支持延長部に旋回可能に接続されたラッチを含み、
前記複数のパネル構造物の前記第３支持延長部及び前記第４支持延長部のうちの少なくとも１つが、前記第３支持延長部及び前記第４支持延長部のうちの少なくとも１つに旋回可能に取り付けられたグラビティフックを含む、請求項８に記載のワークプラットフォームシステム。